(57)【要約】【課題】複数の光源とダイクロイックミラーからなる光書き込みヘッドにおいて、非点収差補正手段の構成を簡単にし、組立てが容易でコンパクトな構造にすること。【解決手段】光源１１の光は、ダイクロイックミラーＤＭ１，ＤＭ２、セルホックレンズアレイＳＬＡ、凹型のシリンドリカルレンズ３４を透過して印画紙ＰＰに結像する。同様に光源１２の光は、非点収差均一化部材３１を透過し、ダイクロイックミラーＤＭ１で反射し、ダイクロイックミラーＤＭ２を透過し、光源１３の光は、非点収差均一化部材３２を透過し、ダイクロイックミラーＤＭ２で反射して印画紙ＰＰに結像する。非点収差均一化部材３２の板厚は、非点収差均一化部材３１の２倍である。各光源の光の非点収差は、均一化され、共通のシリンドリカルレンズ３４によって補正される。【選択図】図１
2009014941.tif 000002
【特許請求の範囲】
【請求項１】
複数の光源、平行平板からなるダイクロイックミラー及び透光性の平行平板からなる非点収差均一化部材からなる光源・ミラー部、セルホックレンズアレイ並びに各光源に共通の非点収差補正部材を備え、非点収差均一化部材はダイクロイックミラーと平行に配置し、セルホックレンズアレイは光源・ミラー部と記録媒体の間に配置し、非点収差補正部材はセルホックレンズアレイと記録媒体の間に配置してあることを特徴とする光書き込みヘッド。
【請求項２】
請求項１に記載の光書き込みヘッドにおいて、前記非点収差補正部材は凹型のシリンドリカルレンズからなることを特徴とする光書き込みヘッド。
【請求項３】
請求項１に記載の光書き込みヘッドにおいて、前記非点収差補正部材は透光性の平行平板からなり、光路中心軸に対して傾斜していることを特徴とする光書き込みヘッド。
【請求項４】
請求項２又請求項３に記載の光書き込みヘッドにおいて、前記光源は第１、第２、第３光源からなり、前記ダイクロイックミラーは直交する第１、第２ダイクロイックミラーからなることを特徴とする光書き込みヘッド。
【請求項５】
請求項４に記載の光書き込みヘッドにおいて、前記３個の光源は、第１光源の光は第１、第２ダイクロイックミラーを透過し、第２光源の光は第１非点収差均一化部材を透過し第１ダイクロイックミラーで反射し第２ダイクロイックミラーを透過し、第３光源の光は第２非点収差均一化部材を透過し第２ダイクロイックミラーで反射するように配置してあることを特徴とする光書き込みヘッド。
【請求項６】
請求項４に記載の光書き込みヘッドにおいて、前記３個の光源の内、第１光源の解像度は第２、第３光源の解像度の２倍以上であり、前記３個の光源は、第１光源の光は第１、第２ダイクロイックミラーを透過し、第２光源の光は第１ダイクロイックミラーで反射し第２ダイクロイックミラーを透過し、第３光源の光は非点収差均一化部材を透過し第２ダイクロイックミラーで反射するように配置してあることを特徴とする光書き込みヘッド。
【発明の詳細な説明】
【技術分野】
【０００１】
本願発明は、印画紙等の記録媒体に画像等を書き込む光書き込みヘッドに関する。
【背景技術】
【０００２】
従来３個の発光素子アレイ（光源と呼ぶ）と２個のダイクロイックミラーからなる光書き込みヘッドが提案されている（例えば特許文献１参照）。図６は、その光書き込みヘッドの断面図を示す。
図６の光書き込みヘッドは、３個の光源１１，１２，１３、ガラスの平行平板（短冊状板）からなるダイクロイックミラーＤＭ１，ＤＭ２、セルホックレンズアレイ（等倍率結像素子）ＳＬＡを備えている。
光源１１の光は、ダイクロイックミラーＤＭ１，ＤＭ２、セルホックレンズアレイＳＬＡを透過して印画紙ＰＰに結像する。光源１２の光は、ダイクロイックミラーＤＭ１で反射し、ダイクロイックミラーＤＭ２、セルホックレンズアレイＳＬＡを透過して印画紙ＰＰに結像する。光源１３の光は、ダイクロイックミラーＤＭ２で反射し、セルホックレンズアレイＳＬＡを透過して印画紙ＰＰに結像する。その際、光源１１の光は、ダイクロイックミラーＤＭ１，ＤＭ２を透過し、光源１２の光は、ダイクロイックミラーＤＭ２を透過するが、光源１３の光は、ダイクロイックミラーＤＭ１，ＤＭ２を透過しない。したがって光源１１，１２，１３の光は、ダイクロイックミラーＤＭ１，ＤＭ２を透過する回数が相違する。
【０００３】
光源１１，１２の光は、ダイクロイックミラーを透過するとき非点収差が生じるため、印画紙ＰＰに結像する光点（結像ドットと呼ぶ）は、ピントが甘くなって紙面の左右方向に広がり、正方形が長方形に、或いは円が楕円形になる。光源１３の光は、非点収差が生じない。したがって図６の光書き込みヘッドの光源１１，１２，１３の光は、光源によって非点収差の大きさが相違する。
【０００４】
そこで非点収差を補正するため、光路にシリンドリカルレンズを配置した光書き込みヘッドが提案されている（例えば特許文献２参照）。図７（ａ）は、その光書き込みヘッドの断面図を示す。
図７（ａ）の光書き込みヘッドは、２つの光源１１，１２、ガラスの平行平板からなるダイクロイックミラーＤＭ１、凸型のシリンドリカルレンズ２１、非球面レンズ２２を備えている。
光源１１の光は、シリンドリカルレンズ２１、ダイクロイックミラーＤＭ１、非球面レンズ２２を透過して印画紙ＰＰに結像する。光源１２の光は、ダイクロイックミラーＤＭ１で反射し、非球面レンズ２２を透過して印画紙ＰＰに結像する。光源１１の光は、ダイクロイックミラーＤＭ１を透過するとき非点収差が生じるため、光源１１とダイクロイックミラーＤＭ１の間にシリンドリカルレンズ２１を配置して、その非点収差を補正している。その結果、光源１１と光源１２の光の結像ドットは、大きさが同じになり、非点収差のない状態になる。
【０００５】
図７（ｂ）は、図６の光書き込みヘッドに、図７（ａ）のシリンドリカルレンズによる非点収差の補正方法を適用した光書き込みヘッドの断面図を示す。
図７（ｂ）の光書き込みヘッドは、光源１１とダイクロイックミラーＤＭ１の間にシリンドリカルレンズ２３１を配置し、光源１２とダイクロイックミラーＤＭ１の間にシリンドリカルレンズ２３２を配置してある。シリンドリカルレンズ２３１は、ダイクロイックミラーＤＭ１，ＤＭ２によって生じる非点収差を補正し、シリンドリカルレンズ２３２は、ダイクロイックミラーＤＭ２によって生じる非点収差を補正する。
光源１１の光と光源１２の光は、ダイクロイックミラーＤＭ１，ＤＭ２によって生じる非点収差の大きさが相違するから、シリンドリカルレンズ２３１，２３２は、その非点収差の補正量が相違する。したがってシリンドリカルレンズ２３１，２３２の曲率は、その補正量に応じて所定の大きさに設定してある。
【０００６】
【特許文献１】特開２００７−４７６８２号公報
【特許文献２】特開平１０−１８１０８０号公報
【発明の開示】
【発明が解決しようとする課題】
【０００７】
図７（ｂ）の光書き込みヘッドは、曲率の異なる２個のシリンドリカルレンズ２３１，２３２を用いているが、シリンドリカルレンズは、長尺であるから（長さは印画紙ＰＰの幅に相当する）、全長の曲率を高精度でかつ均一に加工することは難しく、かつ曲率の異なる２種類のものを作製しなければならないから、シリンドリカルレンズのコストが高くなり、光書き込みヘッドのコストも高くなる。
また光源１１，１２，１３、ダイクロイックミラーＤＭ１，ＤＭ２及びシリンドリカルレンズ２３１，２３２からなる光源・ミラー部は、光学的に高精度で配置し密接させて一体的にコンパクトに組立てなければならないが、長尺のシリンドリカルレンズ２３１，２３２は、位置合せが難しく、また占有スペースが大きいため、光源・ミラー部のコンパクト化が困難である。
本願発明は、それらの問題点に鑑み、高価なシリンドリカルレンズの個数を少なくし、かつ光源・ミラー部をコンパクトに構成し組立てが容易になる光書き込みヘッドを提供することを目的とする。
【課題を解決するための手段】
【０００８】
本願発明は、その目的を達成するため、請求項１に記載の光書き込みヘッドは、複数の光源、平行平板からなるダイクロイックミラー及び透光性の平行平板からなる非点収差均一化部材からなる光源・ミラー部、セルホックレンズアレイ並びに各光源に共通の非点収差補正部材を備え、非点収差均一化部材はダイクロイックミラーと平行に配置し、セルホックレンズアレイは光源・ミラー部と記録媒体の間に配置し、非点収差補正部材はセルホックレンズアレイと記録媒体の間に配置してあることを特徴とする。
請求項２に記載の光書き込みヘッドは、請求項１に記載の光書き込みヘッドにおいて、前記非点収差補正部材は凹型のシリンドリカルレンズからなることを特徴とする。
請求項３に記載の光書き込みヘッドは、請求項１に記載の光書き込みヘッドにおいて、前記非点収差補正部材は透光性の平行平板からなり、光路中心軸に対して傾斜していることを特徴とする。
請求項４に記載の光書き込みヘッドは、請求項２又請求項３に記載の光書き込みヘッドにおいて、前記光源は第１、第２、第３光源からなり、前記ダイクロイックミラーは直交する第１、第２ダイクロイックミラーからなることを特徴とする。
請求項５に記載の光書き込みヘッドは、請求項４に記載の光書き込みヘッドにおいて、前記３個の光源は、第１光源の光は第１、第２ダイクロイックミラーを透過し、第２光源の光は第１非点収差均一化部材を透過し第１ダイクロイックミラーで反射し第２ダイクロイックミラーを透過し、第３光源の光は第２非点収差均一化部材を透過し第２ダイクロイックミラーで反射するように配置してあることを特徴とする。
請求項６に記載の光書き込みヘッドは、請求項４に記載の光書き込みヘッドにおいて、前記３個の光源の内、第１光源の解像度は第２、第３光源の解像度の２倍以上であり、前記３個の光源は、第１光源の光は第１、第２ダイクロイックミラーを透過し、第２光源の光は第１ダイクロイックミラーで反射し第２ダイクロイックミラーを透過し、第３光源の光は非点収差均一化部材を透過し第２ダイクロイックミラーで反射するように配置してあることを特徴とする。
【発明の効果】
【０００９】
本願発明の光書き込みヘッドは、透光性の平行平板からなる非点収差均一化部材により、各光源の光の非点収差を均一にした後、各光源に共通の非点収差補正部材によって非点収差を補正するから、非点収差補正部材は、１個でよい。したがって非点収差補正部材が凹型のシリンドリカルレンズの場合、加工の難しい高価なシリンドリカルレンズは、１個でよいから、光書き込みヘッドのコストを低減できる。また非点収差補正部材が平行平板の場合、構造が簡単になり安価になるから、光書き込みヘッドのコストをさらに低減できる。
本願発明の非点収差補正部材は、光源・ミラー部の外に配置するから、光源・ミラー部は、組立てが容易になり、かつコンパクトになる。
【００１０】
本願発明の光書き込みヘッドの非点収差均一化部材は、平行平板であって所定曲率の曲面を形成する必要がないから加工が容易で安価になり、かつダイクロイックミラーと同じ素材を用いることもできるから、加工コストを低減できる。また非点収差均一化部材は、ダイクロイックミラーと平行に配置するから、占有スペースが小さくなり、光源・ミラー部がコンパクトになる。かつ非点収差均一化部材は、光源・ミラー部を組立てるとき、ダイクロイックミラーと平行に配置すればよいから、位置合せが簡単になり、光源・ミラー部の組立てが容易になる。
本願発明の光書き込みヘッドは、光源の解像度が相違しているから、非点収差均一化部材の個数を少なくすることができる。したがって光源・ミラー部は、構造が簡単になり、位置合せも簡単になるから、組立てが容易になり、コストを低減できる。
【発明を実施するための最良の形態】
【００１１】
図１〜図５により本願発明の実施例を説明する。なお各図に共通な部分は、同じ符号を使用している。
【実施例１】
【００１２】
図１、図２により本願発明の実施例１の光書き込みヘッドを説明する。
図１は、光書き込みヘッドの断面図であり、図２は、光書き込みヘッドの非点収差の均一化と非点収差の補正を説明する図である。
図１において、１１，１２，１３は、発光素子アレイ（光源と呼ぶ）で、各光源は、例えば赤色（Ｒ）光、緑色（Ｇ）光、青色（Ｂ）光を発光する。各光源は、蛍光発光管、発光ダイオード、ＥＬ、プラズマデバイス、液晶デバイス、ＰＬＺＴ等を用いることができる。ＤＭ１、ＤＭ２は、ガラス（透光性材）の平行平板（短冊状板）からなるダイクロイックミラーで、両者は、直交するように配置して一方の端部を他方に接着して一体的に形成してある。ダイクロイックミラーＤＭ１、ＤＭ２の板厚は、同じである。３１，３２は、非点収差を均一にするための非点収差均一化部材で、ガラス（透光性材）の平行平板（短冊状板）からなり、夫々ダイクロイックミラーＤＭ１、ＤＭ２と平行に配置してある。非点収差均一化部材３１の板厚は、ダイクロイックミラーＤＭ１の板厚と同じに、非点収差均一化部材３２の板厚は、ダイクロイックミラーＤＭ２の板厚の２倍（非点収差均一化部材３１の板厚の２倍）に設定してある。非点収差均一化部材３２は、ダイクロイックミラーＤＭ２と同じ板厚のものを２枚、平行に配置しても良い。ＳＬＡは、セルホックレンズアレイ（等倍率結像素子）、３４は、非点収差を補正するための部材（非点収差補正部材）である凹型のシリンドリカルレンズ、ＰＰは、記録媒体である印画紙である。
【００１３】
光書き込みヘッドは、光源１１，１２，１３（第１、第２、第３光源）、ダイクロイックミラーＤＭ１、ＤＭ２（第１、第２ダイクロイックミラー）及び非点収差均一化部材３１，３２（第１、第２非点収差均一化部材）からなる光源・ミラー部と、その外に配置したセルホックレンズアレイＳＬＡ、シリンドリカルレンズ３４とからなり、光源・ミラー部は、前記光源、ダイクロイックミラー及び非点収差均一化部材を、光学的に高精度で配置し密接させて一体的に組立ててある。
光源１１の光は、ダイクロイックミラーＤＭ１、ＤＭ２、セルホックレンズアレイＳＬＡ、シリンドリカルレンズ３４を透過して印画紙ＰＰに結像する。光源１２の光は、非点収差均一化部材３１を透過し、ダイクロイックミラーＤＭ１で反射し、ダイクロイックミラーＤＭ２、セルホックレンズアレイＳＬＡ、シリンドリカルレンズ３４を透過して印画紙ＰＰに結像する。光源１３の光は、非点収差均一化部材３２を透過し、ダイクロイックミラーＤＭ２で反射し、セルホックレンズアレイＳＬＡ、シリンドリカルレンズ３４を透過して印画紙ＰＰに結像する。
【００１４】
次に図２を用いて、図１の光書き込みヘッドの非点収差の均一化と非点収差の補正について説明する。
図２（ａ）、（ｂ）は、光源１１，１２，１３の光が印画紙ＰＰに結像した光点（結像ドットと呼ぶ）の列（結像ドット列）を示し、図２（ａ）は、図１のシリンドリカルレンズ３４がないときの結像ドット列を、図２（ｂ）は、シリンドリカルレンズ３４があるときの結像ドット列を示す。Ｙは、光書き込みヘッドの移動方向を示す。
【００１５】
図２において、Ｄ１１は、光源１１の光の結像ドット列を、Ｄ１２は、光源１２の光の結像ドット列を、Ｄ１３は、光源１３の光の結像ドット列を示す。図２（ａ）において、ＦＭ１，ＦＭ２，Ｆ３１，Ｆ３２は、非点収差による結像ドットの上下方向（Ｙ方向）の広がりを示し、Ｆ１１，Ｆ１２，Ｆ１３は、非点収差がないときの結像ドットを示す。結像ドットの広がりＦＭ１〜Ｆ３２の内、ＦＭ１は、ダイクロイックミラーＤＭ１の非点収差による広がりを、ＦＭ２は、ダイクロイックミラーＤＭ２の非点収差による広がりを、Ｆ３１は、非点収差均一化部材３１の非点収差による広がりを、Ｆ３２は、非点収差均一化部材３２の非点収差による広がりを示す。なお非点収差均一化部材３２の板厚は、ダイクロイックミラーＤＭ２の板厚の２倍であるから、非点収差均一化部材３２の非点収差による結像ドットの広がりＦ３２は、他の結像ドットの広がりの２倍になる。
【００１６】
図１の光書き込みヘッドは、光源１２，１３の光の光路に非点収差均一化部材３１，３２を配置して非点収差を付加しているから、光源１１，１２，１３の光の非点収差の大きさは、同じになり、結像ドット列Ｄ１１、Ｄ１２、Ｄ１３の各結像ドットの上下方向の長さＷ１、Ｗ２、Ｗ３は、同じになる。
図２（ａ）のように非点収差を均一にした結像ドット列Ｄ１１、Ｄ１２、Ｄ１３は、図１のようにシリンドリカルレンズ３４を透過すると、各結像ドット列の結像ドットは、非点収差が補正されて、図２（ｂ）のように非点収差のない結像ドットＦ１１、Ｆ１２、Ｆ１３となる。
【００１７】
図１の光書き込みヘッドは、加工の難しい高価なシリンドリカルレンズは１個でよいからコストを低減できる。またシリンドリカルレンズ３４は、光源・ミラー部の外に配置するから、光源・ミラー部は、組立てが容易になりかつコンパクトになる。反面、図１の光書き込みヘッドは、非点収差均一化部材３１，３２が必要になるが、非点収差均一化部材３１，３２は、平行平板であり所定曲率の曲面を形成する必要がないから、加工が容易になり、かつ非点収差均一化部材３１は、ダイクロイックミラーＤＭ１，ＤＭ２と同じの素材を用いることができ、非点収差均一化部材３２も、２枚を平行に配置する場合には、ダイクロイックミラーＤＭ１，ＤＭ２と同じ素材を用いることができる。また非点収差均一化部材３１，３２は、ダイクロイックミラーＤＭ１，ＤＭ２と平行に配置するから、それらの占有スペースは小さくなり、かつ位置合せや組立てが簡単になる。
【００１８】
なお図１の光書き込みヘッドは、光源が３個の例であるが、光源が２個の場合にも、図１の光書き込みヘッドと同様に非点収差を補正することができる。光源が２個の場合には、光源１１，１２、ダイクロイックミラーＤＭ１、非点収差均一化部材３１によって光源・ミラー部を構成する。この場合光源１２の光は、非点収差均一化部材３１により非点収差が付加されるから、光源１１の光の非点収差と同じになる。したって図１のシリンドリカルレンズ３４は、光源１１，１２に共通に使用することができる。
【００１９】
図３は、図１の光書き込みヘッドにおいて、凹型のシリンドリカルレンズ３４に代えて、平行平板３３を用いた例である。即ち図３の光書き込みヘッドは、非点収差補正部材としてガラスからなる平行平板を用いている。
平行平板３３は、セルホックレンズアレイＳＬＡの出射側の光路の中心軸に対する角度θが４５度になるように、傾斜させて配置してある。平行平板３３の板厚は、非点収差均一化部材３２と同じである。
図１の光書き込みヘッドは、セルホックレンズアレイＳＬＡの入射側（物点側）の光路において、各光源の光路の非点収差を均一化し、セルホックレンズアレイＳＬＡの出射側（像点側）の光路に各光源に共通の凹型のシリンドリカルレンズ３４を配置して非点収差を補正している。それに対して図３の光書き込みヘッドは、セルホックレンズアレイＳＬＡの出射側の光路に平行平板３３を傾斜するように配置して非点収差を補正している。
【００２０】
平行平板３３は、傾斜しているから非点収差均一化部材３１，３２と同様に非点収差を生じる。即ちセルホックレンズアレイＳＬＡから出射して平行平板３３を透過する光は、主走査方向Ｙ１の光（光線）と副走査方向Ｙ２の光（光線）とで収差量が異なる。したがって平行平板３３を、セルホックレンズアレイＳＬＡと記録媒体ＰＰの間に配置すると、図１の凹型のシリンドリカルレンズ３４と同様に非点収差を補正することができる。その非点収差の補正量は、平行平板３３の傾斜角θ又は板厚、或いはその双方を変えることにより調整することができる。
図３の光書き込みヘッドは、非点収差補正部材に平行平板を用いるから、非点収差補正部材は、構造が簡単になり、安価に作製することができる。
【実施例２】
【００２１】
図４、図５により本願発明の実施例２の光書き込みヘッドを説明する。
図４は、光書き込みヘッドの断面図であり、図５は、光書き込みヘッドの非点収差の均一化と非点収差の補正を説明する図である。
図４の光書き込みヘッドは、図１の光書き込みヘッドの非点収差均一化部材３１を省略し、光源１１１の解像度を光源１２，１３の解像度の２倍に設定してある。光源１１１は、発光ダイオードを用い、光源１２，１３は、蛍光発光管を用いている。蛍光発光管は、赤色発光のエネルギーが弱く、発光ダイオードは、蛍光発光管と比較して相対的に赤色発光のエネルギーが強いため、一般に赤色発光に発光ダイオードを用い、緑色発光と青色発光に蛍光発光管を用いている。蛍光発光管は、通常解像度を３００ｄｐｉ（１インチ当り３００ドット）に設定したものが市販され、発光ダイオードは、解像度を６００ｄｐｉに設定したものが市販されており、図４、図５は両者を組合せた場合に相当する。
なお光源１１１，１２，１３の光源は、それらの発光素子に限らない。
【００２２】
図４の光書き込みヘッドの光源・ミラー部は、光源１１１，１２，１３、ダイクロイックミラーＤＭ１、ＤＭ２及び非点収差均一化部材３２からなる。なお非点収差均一化部材３２の板厚は、ダイクロイックミラーＤＭ２の板厚と同じである。
図４の光書き込みヘッドの非点収差は、光源１１１の光がダイクロイックミラーＤＭ１，ＤＭ２を透過するとき２回、光源１２の光がダイクロイックミラーＤＭ２を透過するとき１回、光源１３の光が非点収差均一化部材３２を透過するとき１回生じる。
【００２３】
次に図５を用いて、図４の光書き込みヘッドの非点収差の均一化と非点収差の補正について説明する。
図５（ａ）、（ｂ）は、光源１１１，１２，１３の光が印画紙ＰＰに結像したときの結像ドット列を示し、図５（ａ）は、図４のシリンドリカルレンズ３４がないときの結像ドット列を、図５（ｂ）は、シリンドリカルレンズ３４があるときの結像ドット列を示す。Ｙは、光書き込みヘッドの移動方向を示す。
図５（ａ）において、ＦＭ１は、ダイクロイックミラーＤＭ１の非点収差による結像ドットの上下方向の広がりを、同様にＦＭ２は、ダイクロイックミラーＤＭ２の非点収差による広がりを、Ｆ３２は、非点収差均一化部材３２の非点収差による広がりを示し、Ｆ１１１，Ｆ１２，Ｆ１３は、非点収差がないときの結像ドットを示す。結像ドットＦ１１１の大きさは、結像ドットＦ１２，Ｆ１３の４分の１になる。
【００２４】
光源１１１の解像度は、光源１２，１３の解像度の２倍であるから、結像ドット列Ｄ１１１の結像ドット数は、結像ドット列Ｄ１２，Ｄ１３の２倍になる。したがって結像ドット列Ｄ１１１の結像ドット２個は、結像ドット列Ｄ１２，Ｄ１３の結像ドット１個に対応している。なお光源１１１の発光ダイオードと光源１２，１３の蛍光発光管の発光エネルギーは、発光ダイオードの方が大きいから、結像ドットＦ１１１の２個の輝度は、結像ドットＦ１２，Ｆ１３の１個の輝度と略同じになる。
結像ドットＦ１１１の大きさは、結像ドットＦ１２，Ｆ１３よりも小さいが、光源１１１の光は、光源１２，１３の光よりも１回余分に非点収差が生じるから、結像ドットＦ１１１，Ｆ１２，Ｆ１３の上下方向の長さＷ１、Ｗ２、Ｗ３は、略同じになる。
【００２５】
図４の光書き込みヘッドは、光源１１１の解像度を光源１２，１３の解像度の２倍にすることにより、非点収差均一化部材を１個にすることができるから、光源・ミラー部は、構造が簡単になりコンパクトになる。したがって図４の光書き込みヘッドは、組立てが容易になり、コストを低減できる。
なお光源１１１の解像度は、光源１２，１３の解像度の３倍、４倍にすることもできるが、その場合には、結像ドットＦ１１１が小さくなるから、ダイクロイックミラーＤＭ１の板厚を厚くして、その非点収差による結像ドット１１１の広がりＦＭ１を大きくし、前記結像ドットの長さＷ１、Ｗ２、Ｗ３を同じにすることもできる。
【図面の簡単な説明】
【００２６】
【図１】本願発明の実施例１に係る光書き込みヘッドの断面図を示す。
【図２】図１の光書き込みヘッドの非点収差の均一化と非点収差の補正を説明する図で、印画紙の結像ドット列を示す。
【図３】図１の光書き込みヘッドの非点収差補正部材を、平行平板に置き換えた例を示す。
【図４】本願発明の実施例２に係る光書き込みヘッドの断面図を示す。
【図５】図４の光書き込みヘッドの非点収差の均一化と非点収差の補正を説明する図で、印画紙の結像ドット列を示す。
【図６】従来の３光源と２個のダイクロイックミラーからなる光書き込みヘッドの断面図を示す。
【図７】従来の非点収差の補正手段を備えた光書き込みヘッドの断面図を示す。
【符号の説明】
【００２７】
１１，１１１，１２，１３    発光素子アレイ（光源）
３１，３２    非点収差均一化部材
３３    非点収差補正用の平行平板
３４    非点収差補正用のシリンドリカルレンズ
Ｄ１１，Ｄ１１１，Ｄ１２，Ｄ１３    結像ドット列
ＤＭ１，ＤＭ２    ダイクロイックミラー
Ｆ１１，Ｆ１１１，Ｆ１２，Ｆ１３    非点収差がないときの結像ドット
ＦＭ１，ＦＭ２，Ｆ３１，Ｆ３２    非点収差による結像ドットの広がり
ＳＬＡ    セルホックレンズアレイ
ＰＰ    印画紙
【図１】
2009014941.tif 000003
【図２】
2009014941.tif 000004
【図３】
2009014941.tif 000005
【図４】
2009014941.tif 000006
【図５】
2009014941.tif 000007
【図６】
2009014941.tif 000008
【図７】
2009014941.tif 000009